(57)【要約】 【課題】ユーザによる、自動コンファーム機能を使用するか否かの設定作業の煩雑さを軽減し得る医用画像処理装置、医用画像処理方法及びプログラムを提供すること。【解決手段】検像装置２０は、モダリティ４０から医用画像データを受信する受信チャンネル毎に、自動コンファーム処理を実行するか通常コンファーム処理を実行するかの選択情報を設定する。そして、検像装置２０は、この選択情報と医用画像データを受信した受信チャンネルとに基づいて、自動コンファーム処理、通常コンファーム処理のどちらの処理を実行するか判定し実行する。【選択図】図１
2008246033.tif 000002
【特許請求の範囲】
【請求項１】
複数の医用画像生成装置から医用画像データを受信する複数の受信手段と、
前記受信手段により受信された医用画像データに基づいて、医用画像を表示する表示手段と、
前記表示手段に表示された医用画像に対応する医用画像データを記憶媒体に送信する送信処理を行う送信手段と、
前記送信手段に送信処理を行わせる送信許可信号を入力する入力手段と、
前記送信許可信号に基づいて前記送信手段が送信処理を行うか、前記表示手段に医用画像が表示されてから予め定められた時間経過後に前記送信手段が送信処理を行うか、のいずれかを選択する選択情報を前記複数の受信手段毎に設定し、前記選択情報に基づいて前記送信手段に送信処理を行わせる制御手段と、
を備える医用画像処理装置。
【請求項２】
前記制御手段は、前記選択情報を更に時間帯に基づいて設定する、
請求項１に記載の医用画像処理装置。
【請求項３】
前記医用画像データは付帯情報を含み、
前記制御手段は、前記選択情報を更に付帯情報に基づいて設定する、
請求項１又は２に記載の医用画像処理装置。
【請求項４】
前記付帯情報は、前記医用画像データを生成した医用画像生成装置の操作者の情報である技師情報を含み、
前記制御手段は、前記選択情報を技師情報に基づいて設定する、
請求項３に記載の医用画像処理装置。
【請求項５】
複数の医用画像生成装置から医用画像データを受信する複数の受信手段のいずれか一つにより、前記医用画像データを受信する受信工程と、
前記受信工程において受信した医用画像データに基づいて、医用画像を表示する表示工程と、
前記表示工程において表示した医用画像に対応する医用画像データを記憶媒体に送信する送信処理を行う送信工程と、
前記送信工程において送信処理を行わせる送信許可信号を入力する入力工程と、
前記送信許可信号に基づいて前記送信工程において送信処理を行うか、前記表示工程において医用画像が表示されてから予め定められた時間経過後に前記送信工程において送信処理を行うか、のいずれかを選択する選択情報を前記複数の受信手段毎に設定し、前記選択情報に基づいて前記送信工程において送信処理を行うように制御する制御工程と、
を有する医用画像処理方法。
【請求項６】
コンピュータを、
複数の医用画像生成装置から医用画像データを受信する複数の受信手段、
前記受信手段により受信された医用画像データに基づいて、医用画像を表示する表示手段、
前記表示手段に表示された医用画像に対応する医用画像データを記憶媒体に送信する送信処理を行う送信手段、
前記送信手段に送信処理を行わせる送信許可信号を入力する入力手段、
前記送信許可信号に基づいて前記送信手段が送信処理を行うか、前記表示手段に医用画像が表示されてから予め定められた時間経過後に前記送信手段が送信処理を行うか、のいずれかを選択する選択情報を前記複数の受信手段毎に設定し、前記選択情報に基づいて前記送信手段に送信処理を行わせる制御手段、
として機能させるためのプログラム。
【発明の詳細な説明】
【技術分野】
【０００１】
本発明は、医用画像処理装置、医用画像処理方法及びプログラムに関する。
【背景技術】
【０００２】
医療の分野において、患者を撮影した医用画像はデジタル化して扱われている。具体的には、ＣＲ（Computed Radiography）装置やＣＴ（Computed Tomography）装置、ＭＲ（Magnetic Resonance）装置等の医用画像生成装置（以下、「モダリティ」と称す）を用いて、デジタル画像データ（以下、「医用画像データ」と称す）を生成する。そして、生成された医用画像データは、ＰＡＣＳ（Picture Archiving and Communication System for medical application）と呼ばれるシステムで記憶管理される（特許文献１参照）。また、ＰＡＣＳに記憶された医用画像データは、診断医等による診断の対象として参照される。
【０００３】
医用画像データは、ＤＩＣＯＭ（Digital Imaging and Communication in Medicine）規格に準拠したデータ形式で、患者情報、検査情報、シリーズ情報及び画像情報を含む付帯情報と実画像データとから成る。ＤＩＣＯＭとは、医用画像の通信及び保存フォーマットに関する標準規格であり、この規格に準拠することで、異なる医療機器間での相互通信性が確保される。
【０００４】
また、近年、通信ネットワークを介してＰＡＣＳのような医用画像管理システム内のデータベースにモダリティで生成された医用画像データを記憶させる際、画面確認によるデータの必要性のチェック、登録済みデータとの整合性のチェック、ＲＩＳ（Radiological Information System）やＨＩＳ（Hospital Information System）から送信されるオーダ情報との整合性のチェック等の作業を可能とする検像システムが開発されている（特許文献２参照）。
【０００５】
このような検像システムにおいて、通常、撮影技師等のユーザによる前記各チェックの後、ユーザ操作により、チェックされた医用画像データをＰＡＣＳに記憶させるが、ある所定時間経過すると、前記各チェック後のユーザ操作を介さずに自動で医用画像データをＰＡＣＳに記憶させる技術が開示されている（特許文献３参照）。
【０００６】
このように、検像システムにおいて、ユーザ操作を介さずに自動でＰＡＣＳに医用画像データを登録することを自動コンファームと呼ぶ。尚、コンファームとは、医用画像データを診断用として採用（承認）することである。
【特許文献１】特開平７−３２００３４号公報
【特許文献２】特開２００４−２９０３２９号公報
【特許文献３】特開２００３−２９０１９５号公報
【発明の開示】
【発明が解決しようとする課題】
【０００７】
しかし、特許文献３の技術では、異なるメーカで製造されたモダリティや、ＣＲ装置、ＣＴ装置等の異なる種類のモダリティを備えたマルチモダリティ環境において、自動コンファーム機能を使用するか否かの設定作業が煩雑であった。
【０００８】
また、医療現場において、深夜等の患者が殆どいない時間帯は、自動コンファーム機能を使用し、通常の業務時間帯等は、自動コンファーム機能を使用せずに撮影技師等による検像作業が行われている。この場合、撮影技師等のユーザは、業務時間開始前と業務時間終了後とにおいて、自動コンファーム機能の使用の有無の設定を行う必要があり、当該設定作業は煩雑であった。
【０００９】
また、医用画像データの生成時にモダリティを操作した撮影技師がベテランである場合は、自動コンファーム機能を使用し、ベテラン以外の場合は、自動コンファーム機能を使用せず、検像作業が行われている。この場合、撮影技師等のユーザは、モダリティを操作する撮影技師が変わる毎に、自動コンファーム機能の使用の有無の設定を行う必要があり、当該設定作業は煩雑であった。
【００１０】
本発明は、上述したような課題に鑑みて為されたものであり、その目的とするところは、ユーザによる、自動コンファーム機能を使用するか否かの設定作業の煩雑さを軽減し得る医用画像処理装置、医用画像処理方法及びプログラムを提供することである。
【課題を解決するための手段】
【００１１】
上記の課題を解決するために、請求項１に記載の医用画像処理装置は、
複数の医用画像生成装置から医用画像データを受信する複数の受信手段と、
前記受信手段により受信された医用画像データに基づいて、医用画像を表示する表示手段と、
前記表示手段に表示された医用画像に対応する医用画像データを記憶媒体に送信する送信処理を行う送信手段と、
前記送信手段に送信処理を行わせる送信許可信号を入力する入力手段と、
前記送信許可信号に基づいて前記送信手段が送信処理を行うか、前記表示手段に医用画像が表示されてから予め定められた時間経過後に前記送信手段が送信処理を行うか、のいずれかを選択する選択情報を前記複数の受信手段毎に設定し、前記選択情報に基づいて前記送信手段に送信処理を行わせる制御手段と、
を備える。
【００１２】
請求項２に記載の発明は、請求項１に記載の発明において、
前記制御手段は、前記選択情報を更に時間帯に基づいて設定する。
【００１３】
請求項３に記載の発明は、請求項１又は２に記載の発明において、
前記医用画像データは付帯情報を含み、
前記制御手段は、前記選択情報を更に付帯情報に基づいて設定する。
【００１４】
請求項４に記載の発明は、請求項３に記載の発明において、
前記付帯情報は、前記医用画像データを生成した医用画像生成装置の操作者の情報である技師情報を含み、
前記制御手段は、前記選択情報を技師情報に基づいて設定する。
【００１５】
請求項５に記載の医用画像処理方法は、
複数の医用画像生成装置から医用画像データを受信する複数の受信手段のいずれか一つにより、前記医用画像データを受信する受信工程と、
前記受信工程において受信した医用画像データに基づいて、医用画像を表示する表示工程と、
前記表示工程において表示した医用画像に対応する医用画像データを記憶媒体に送信する送信処理を行う送信工程と、
前記送信工程において送信処理を行わせる送信許可信号を入力する入力工程と、
前記送信許可信号に基づいて前記送信工程において送信処理を行うか、前記表示工程において医用画像が表示されてから予め定められた時間経過後に前記送信工程において送信処理を行うか、のいずれかを選択する選択情報を前記複数の受信手段毎に設定し、前記選択情報に基づいて前記送信工程において送信処理を行うように制御する制御工程と、
を有する。
【００１６】
請求項６に記載のプログラムは、
コンピュータを、
複数の医用画像生成装置から医用画像データを受信する複数の受信手段、
前記受信手段により受信された医用画像データに基づいて、医用画像を表示する表示手段、
前記表示手段に表示された医用画像に対応する医用画像データを記憶媒体に送信する送信処理を行う送信手段、
前記送信手段に送信処理を行わせる送信許可信号を入力する入力手段、
前記送信許可信号に基づいて前記送信手段が送信処理を行うか、前記表示手段に医用画像が表示されてから予め定められた時間経過後に前記送信手段が送信処理を行うか、のいずれかを選択する選択情報を前記複数の受信手段毎に設定し、前記選択情報に基づいて前記送信手段に送信処理を行わせる制御手段、
として機能させる。
【発明の効果】
【００１７】
請求項１、５及び６に記載の発明によれば、医用画像処理装置は、入力手段により入力される送信許可信号に基づいて送信手段が送信処理を行うか、表示手段に医用画像が表示されてから予め定められた時間経過後に前記送信手段が送信処理を行うか（自動コンファーム機能）、のいずれかを選択する選択情報を受信手段毎に設定し、当該選択情報に基づいて送信手段に送信処理を行わせる。
【００１８】
そのため、予め受信手段毎に、自動コンファーム機能を使用するか否かを適切に設定することにより、異種類のモダリティ、製造メーカの異なるモダリティ等を備えたシステム環境に柔軟に対応することができる。よって、ユーザによる、自動コンファーム機能を使用するか否かの設定作業の煩雑さを軽減することができる。
【００１９】
請求項２に記載の発明によれば、前記選択情報は、更に時間帯に基づいて設定される。
【００２０】
そのため、更に時間帯に基づいて、自動コンファーム機能を使用するか否かを適切に設定することにより、撮影技師等のユーザは、業務時間開始前と業務時間終了後とにおいて、自動コンファーム機能を使用するか否かの設定作業を行う必要が無くなる。
【００２１】
請求項３に記載の発明によれば、前記選択情報は、更に付帯情報に基づいて設定される。
【００２２】
そのため、更に付帯情報に基づいて、自動コンファーム機能を使用するか否かを適切に設定することにより、撮影技師等のユーザは、様々な状況において、柔軟に自動コンファーム機能の設定を行うことができる。
【００２３】
請求項４に記載の発明によれば、前記選択情報は、更に技師情報に基づいて設定される。
【００２４】
そのため、更に技師情報に基づいて、自動コンファーム機能を使用するか否かを適切に設定することにより、撮影技師等のユーザは、モダリティを操作する撮影技師が変わる毎に、自動コンファーム機能を使用するか否かの設定作業を行う必要が無くなる。
【発明を実施するための最良の形態】
【００２５】
以下、本発明に係る医用画像処理装置の好適な一実施形態について説明する。
【００２６】
[医用画像システムのシステム構成図]
先ず、検像装置（医用画像処理装置）２０を有する医用画像システム１０のシステム構成について図１を参照して説明する。図１は、医用画像システム１０のシステム構成の一例を示すシステム構成図である。図１によれば、医用画像システム１０は、検像装置２０、ＰＡＣＳ３０、モダリティ４０ａ、４０ｂ、４０ｃ、４０ｄ、４０ｅ、４０ｆから構成されている。
【００２７】
検像装置２０と各モダリティ４０ａ〜４０ｆとは、通信ネットワークを介して、データ通信可能に接続されている。また、検像装置２０はＰＡＣＳ３０とデータ通信可能に接続されている。そのため、各モダリティ４０ａ〜４０ｆとＰＡＣＳ３０とのデータ通信は、検像装置２０を介して行われる。
【００２８】
ここで、説明の都合上、各モダリティ４０ａ〜４０ｆを総じてモダリティ４０と称する。また、モダリティ４０ａはＣＲ装置、モダリティ４０ｂはＣＴ装置、モダリティ４０ｃはＭＲ装置、モダリティ４０ｄはＣＴ装置である。
【００２９】
モダリティ４０は、ＣＲ装置やＣＴ装置、ＭＲ装置、乳房撮影装置、超音波診断装置等であり、撮影技師の操作に従って撮影して得られた画像のデータ信号をＤＩＣＯＭ規格に則したデジタルデータに変換して医用画像データＤ１を生成する。モダリティ４０は、生成した医用画像データＤ１を検像装置２０に送信する。
【００３０】
図３に、医用画像データＤ１の１フレームのデータ構造の一例を示す。図３によれば、１フレームの医用画像データＤ１は、付帯情報Ｄ２のデータブロックと、実画像データＤ３のデータブロックとを有して構成される。付帯情報Ｄ２のデータブロックは、患者情報Ｄ２１のデータブロックと、検査情報Ｄ２２のデータブロックと、シリーズ情報Ｄ２３のデータブロックと、画像情報Ｄ２４のデータブロックとを含む。
【００３１】
患者情報Ｄ２１、検査情報Ｄ２２及びシリーズ情報Ｄ２３は、図示しないＲＩＳによって作成されたオーダ情報に基づいて設定される。ここで、ＲＩＳとは、放射線科内の情報を管理する放射線科情報システムである。また、オーダ情報とは、撮影や診察のオーダの内容を示すデータである。
【００３２】
患者情報Ｄ２１は、撮影を行う患者の受付番号や氏名、患者ＩＤ、性別等の患者毎に設定されたデータである。検査情報Ｄ２２は、医師がオーダした検査を識別する検査ＩＤ、検査部位、撮影方向及び体位といった検査条件を示すデータである。シリーズ情報Ｄ２３は、一つの検査の中で生成されるモダリティ４０毎の一連の医用画像データの単位を示すシリーズＩＤ、撮影を行った撮影技師を識別する技師ＩＤを含むデータである。
【００３３】
画像情報Ｄ２４は、当該画像情報Ｄ２４に対応付けられたシリーズ情報Ｄ２３のシリーズＩＤと、医用画像が生成された際に付された医用画像データＤ１の画像ＩＤと、画像が生成された画像生成時刻等の画像管理や画像生成に関する各種情報とを含んで構成される。
【００３４】
ここで、ＣＲ装置４０ａ、ＣＴ装置４０ｂ及び４０ｄ、ＭＲ装置４０ｃにおける実画像データＤ３の作成方法について簡単に説明する。
【００３５】
ＣＲ装置４０ａは、被写体に放射線を照射して、その被写体を透過した放射線をプレート状の輝尽性蛍光体に吸収させる。そして、この輝尽性蛍光体を例えばレーザ光で走査しながら励起することにより、この輝尽性蛍光体が蓄積している放射線エネルギを発光させ、その発光を光電変換して得られた放射線画像のデータ信号をデジタル変換して被写体の実画像データを生成する。
【００３６】
また、ＣＴ装置４０ｂ及び４０ｄは、被写体の周囲からＸ線を照射して、その被写体を通過したＸ線に基づいて、被写体の断層像の実画像データを生成する。また、ＭＲ装置４０ｃは、強い磁場と電波を使用し被写体の水素原子核の状態に基づいて、被写体の実画像データを生成する。
【００３７】
検像装置２０は、ＲＩＳによって作成されたオーダ情報と、モダリティ４０から送信される医用画像データＤ１とを受信して、後述する検像用データベース２６１にデータを蓄積していき、撮影技師の検像を待機する。
【００３８】
検像とは、オーダ情報通りの撮影を行ったか、実画像データＤ３に基づく医用画像が診断に適した画質であるか、オーダ情報と付帯情報Ｄ２との整合性が取れているか等を医用画像データＤ１のＰＡＣＳ３０への送信前に確認及び修正する行為である。
【００３９】
撮影技師は、各医用画像データＤ１の検像を行った後、検像対象となった医用画像データＤ１を診断用として使用してもよいと判断した場合、この医用画像データＤ１を診断用としてＰＡＣＳ３０に登録するように承認するための、検像装置２０への承認操作（以下、コンファーム操作と称す）を行う。このコンファーム操作に従って、医用画像データＤ１がＰＡＣＳ３０に転送される。
【００４０】
つまり、検像装置２０は、当該撮影技師によるコンファーム操作に従って、医用画像データＤ１をＰＡＣＳ３０に転送する。この処理を通常コンファーム処理と称す。
【００４１】
一方、検像装置２０は、当該撮影技師によるコンファーム操作によらず、検像対象として画面上に医用画像が表示されてから予め定められた時間（以下、「コンファーム時間」と称す）経過後に、画面上に表示されている医用画像に対応する医用画像データＤ１をＰＡＣＳ３０に自動で転送する処理も行う。この処理を自動コンファーム処理と称す。
【００４２】
以下、自動コンファーム処理についての詳細を説明する。検像装置２０は、モダリティ４０において同シリーズ（シリーズＩＤが同じ）として生成された１又は複数の医用画像データＤ１を逐次受信する。ここで、検像装置２０は、シリーズＩＤが同じである医用画像データＤ１をある一定時間以上、モダリティ４０から受信しなかったら、同シリーズとして生成された医用画像データＤ１の受信を全て完了したと判定する。この「ある一定時間」を以下、「タイムアウト時間」と称す。通常、タイムアウト時間は数秒〜十数秒程度である。
【００４３】
そして、検像装置２０は、同シリーズとして生成された医用画像データＤ１の受信を全て完了したと判定すると、同シリーズの医用画像データＤ１に対応する医用画像を表示部２３に表示させ、ユーザの検像を待機する。そして、当該医用画像を表示部２３に表示させてからコンファーム時間経過すると、検像装置２０は、検像に関するユーザ操作の有無に関わらず、自動的に当該同シリーズの医用画像データＤ１をＰＡＣＳ３０に送信する。
【００４４】
尚、検像装置２０が表示部２３に医用画像を表示させるタイミングは、本例に限定されるものではない。例えば、同シリーズの医用画像データＤ１全ての受信の完了を待たずに、受信した医用画像データＤ１に対応する医用画像を逐次表示部２３に表示させてもよい。または、同シリーズの医用画像データＤ１全ての受信を完了したと判定した後、ユーザ操作による操作信号等に基づいて、医用画像データＤ１を表示部２３に表示させてもよい。
【００４５】
また、自動コンファーム処理において、検像装置２０が医用画像データＤ１をＰＡＣＳ３０に送信するタイミングは、表示部２３に医用画像を表示させてからコンファーム時間経過した時としたが、本例に限定されるものではない。例えば、検像装置２０が、表示部２３に複数の医用画像を表示させ、ユーザ操作又は自動で検像対象となる一つの医用画像が選択されてから、コンファーム時間経過した時、選択された医用画像に対応する医用画像データＤ１をＰＡＣＳ３０に送信するとしてもよい。
【００４６】
ＰＡＣＳ３０は、検像装置２０から送信される医用画像データＤ１を保存管理し、医用画像データＤ１の検索やデータ解析等を行う医用画像管理システムである。
【００４７】
[検像装置の構成]
次に、検像装置２０の機能構成について説明する。図２は、検像装置２０の機能構成の一例を示すブロック図である。図２によれば、検像装置２０は、ＣＰＵ２１と、入力部２２と、表示部２３と、通信部２４と、ＲＡＭ（Random Access Memory）２５と、記憶部２６とを備えて構成される。
【００４８】
ＣＰＵ２１は、各機能部の動作の制御と、機能部間のデータ入出力の制御等を行う。具体的には、入力部２２から入力される操作信号に応じて記憶部２６に格納されたプログラムをＲＡＭ２５に読み出し、当該プログラムに従った処理を実行する。そして、その処理結果に基づいて、表示部２３の表示画面の更新や記憶部２６へのデータの記憶、外部機器とのデータ通信等を行う。つまり、ＣＰＵ２１は、記憶部２６に格納されたプログラムとＲＡＭ２５と協働して、検像装置２０を統括的に管理・制御する制御手段を実現する。
【００４９】
入力部２２は、カーソルキーやテンキー等の各種キー群や、マウスやタッチパネル等のポインティングデバイスを備えて構成される。入力部２２は、ユーザに押下されたキーに対応する操作信号や、ポインティングデバイスにより指定された画面上の座標位置に対応する操作信号をＣＰＵ２１に出力する。例えば、撮影技師等によるコンファーム操作により、送信許可信号をＣＰＵ２１に出力する。ＣＰＵ２１は、この送信許可信号に基づいて、モダリティ４０から受信した医用画像データＤ１をＰＡＣＳ３０に送信する。
【００５０】
表示部２３は、ＣＲＴ（Cathode-ray Tube）やＬＣＤ等により構成され、ＣＰＵ２１の制御に基づいた表示画面の表示や、医用画像データＤ１の再生表示等を行う。通信部２４は、ＬＡＮインターフェイス等により構成され、通信ネットワークＮを介してＲＩＳやモダリティ４０、ＰＡＣＳ３０等の外部機器との間でデータ通信を行う機能部である。
【００５１】
ＲＡＭ２５は、書き換え可能な半導体素子等で構成され、ＣＰＵ２１が実行する各種プログラムやこれらのプログラムの実行に係るデータ等を一時的に保持する。また、ＲＡＭ２５は現在時刻２５１を記憶する。
【００５２】
記憶部２６は、データの読み書きを行う不揮発性のメモリであり、フラッシュメモリやＨＤＤ（Hard Disk Drive）等により構成される。記憶部２６は、各種初期設定、ハードウェアの検査、又は必要なプログラムのロード等を行うための初期プログラムを格納する。
【００５３】
また、記憶部２６は、検像用データベース２６１と自動コンファーム設定情報テーブル２６２と実行時フィルタ設定情報テーブル２６３と非実行時フィルタ設定情報テーブル２６４と自動コンファーム判定実行プログラム２６５とを記憶する。
【００５４】
検像用データベース２６１は、通信部２４を介してモダリティ４０から受信した医用画像データＤ１を、受信チャンネル情報、受信時刻それぞれに対応付けて蓄積記憶するデータベースである。図５に検像用データベース２６１のデータ構成を示す。
【００５５】
ＣＰＵ２１は、ソフトウェア的に受信チャンネルを管理し、図１に示した複数のモダリティ４０ａ、４０ｂ、４０ｃ、…、とデータ通信を行うに当たり、予め各モダリティ４０のアドレスを取得し、そのアドレスとの受信チャンネルとを対応付けておく。
【００５６】
即ち、図４に示すように、モダリティ（ＣＲ装置）４０ａと第１受信チャンネルＣＨ１、モダリティ（ＣＴ装置）４０ｂと第２受信チャンネルＣＨ２、モダリティ（ＭＲ装置）４０ｃと第３受信チャンネルＣＨ３、モダリティ（ＣＴ装置）４０ｄと第４受信チャンネルＣＨ４、…、とを対応付けておき、ＣＰＵ２１は、各モダリティ４０から送信されてくる医用画像データＤ１を各々の受信チャンネルで個別に受信する処理を行う。そして、ＣＰＵ２１は、各医用画像データＤ１を「自動コンファーム判定実行処理」を行うプロセスにおいて使用する。このプロセスを自動コンファーム判定実行プロセスＰ１と称す。
【００５７】
尚、受信チャンネルを複数設ける方法としては、ＣＰＵ２１がソフトウェア的に設ける他、例えば、通信部２４に受信チャンネルを物理的又は論理的に複数設けてデータ受信を行うこととしてもよく、その構成は適宜変更可能である。
【００５８】
自動コンファーム設定情報テーブル２６２は、自動コンファーム判定実行処理の際に参照されるデータテーブル（選択情報）である。自動コンファーム判定実行処理とは、検像装置２０が、モダリティ４０から受信した同シリーズの医用画像データＤ１群のうち最初に受信した医用画像データＤ１の受信チャンネルに応じて、自動コンファーム処理を実行するか否かを判定し、判定に基づいて自動コンファーム処理を実行する処理である。詳しくは後述する。
【００５９】
図６に示すように、自動コンファーム設定情報テーブル２６２は、「受信チャンネル」、「自動コンファームモード」、「開始時刻」、「終了時刻」、「コンファーム時間」、「タイムアウト時間」がそれぞれ対応付けられて構成されている。
【００６０】
ここで「自動コンファームモード」とは、検像装置２０が、自動コンファーム処理を行うかどうかを表す値であり、「ＯＮ」、「ＯＦＦ」、「時間帯指定」の３つの値から成る。自動コンファームモードが「ＯＮ」の場合、検像装置２０は自動コンファーム処理を行う。自動コンファームモードが「ＯＦＦ」の場合、検像装置２０は自動コンファーム処理を行わない。自動コンファームモードが「時間帯指定」の場合、検像装置２０は指定された時間帯に自動コンファーム処理を行う。
【００６１】
「開始時刻」と「終了時刻」は、前記「自動コンファームモード」が「時間帯指定」の場合に参照される。検像装置２０は、「開始時刻」〜「終了時刻」の間、自動コンファーム処理を行い、それ以外の時間は、自動コンファーム処理を行わない。つまり、開始時刻が「１７：００」、終了時刻が「０８：３０」の場合、検像装置２０は、１７：００〜０８：３０の間は、自動コンファーム処理を行い、０８：３０〜１７：００の間は、自動コンファーム処理を行わない。
【００６２】
実行時フィルタ設定情報テーブル２６３は、自動コンファーム処理の実行を一部除外するか否かの判定の際に参照されるデータテーブルである。具体的に、自動コンファーム処理の実行を一部除外する処理とは、検像装置２０が自動コンファーム処理を実行すると判定した場合に、判定に用いられた医用画像データＤ１が受信チャンネルに応じた所定の条件を満たすとき、受信した同シリーズの医用画像データＤ１について自動コンファーム処理を実行しないことである。
【００６３】
実行時フィルタ設定情報テーブル２６３は、前記受信チャンネルに応じた所定の条件を示すデータテーブルである。図７に示すように、実行時フィルタ設定情報テーブル２６３は、「受信チャンネル」に「技師ＩＤ」と「患者ＩＤ」とが対応付けられて構成されている。
【００６４】
技師ＩＤは、モダリティ４０から受信した医用画像データＤ１の付帯情報Ｄ２のシリーズ情報Ｄ２３に含まれる技師ＩＤである。また、患者ＩＤは、モダリティ４０から受信した医用画像データＤ１の付帯情報Ｄ２の患者情報Ｄ２１に含まれる患者ＩＤである。
【００６５】
例えば、自動コンファーム処理を実行するか否かの判定で実行すると判定された場合、判定に用いられた医用画像データＤ１の受信チャンネルが「ＣＨ１」のとき、当該医用画像データＤ１の付帯情報Ｄ２に含まれる技師ＩＤが「TANAKA0703」、又は患者ＩＤが「９９」以上であったら、自動コンファーム処理を実行せず、通常コンファーム処理を実行する。
【００６６】
尚、この実行時フィルタ設定情報テーブル２６３の構成要素は、適宜ユーザによって追加、変更及び削除可能である。また、この実行時フィルタ設定情報テーブル２６３において、各構成要素（技師ＩＤ、患者ＩＤ）の値が受信チャンネル毎に設定されているが、受信チャンネルの値によらず全て同じ値とする構成としてもよい。
【００６７】
非実行時フィルタ設定情報テーブル２６４は、自動コンファーム処理の非実行を一部除外するか否かの判定の際に参照されるデータテーブルである。具体的に、自動コンファーム処理の非実行を一部除外する処理とは、検像装置２０が自動コンファームを実行しないと判定した場合に、判定に用いられた医用画像データＤ１が受信チャンネルに応じた所定の条件を満たすとき、受信した同シリーズの医用画像データＤ１について自動コンファーム処理を実行することである。
【００６８】
非実行時フィルタ設定情報テーブル２６４は、前記受信チャンネルに応じた所定の条件を示すデータテーブルである。図８に示すように、非実行時フィルタ設定情報テーブル２６４は、「受信チャンネル」に「技師ＩＤ」と「患者ＩＤ」とが対応付けられて構成されている。
【００６９】
例えば、自動コンファーム処理を実行するか否かの判定で実行しないと判定された場合、判定に用いられた医用画像データＤ１の受信チャンネルが「ＣＨ２」のとき、当該医用画像データＤ１の付帯情報に含まれる技師ＩＤが「YAMADA0605」、又は患者ＩＤが「９９」以上であったら、自動コンファーム処理を実行する。
【００７０】
尚、この非実行時フィルタ設定情報テーブル２６４の構成要素は、適宜ユーザによって追加、変更及び削除可能である。また、この非実行時フィルタ設定情報テーブル２６４において、各構成要素（技師ＩＤ、患者ＩＤ）の値が受信チャンネル毎に設定されているが、受信チャンネルの値によらず全て同じ値とする構成としてもよい。
【００７１】
自動コンファーム判定実行プログラム２６５は、自動コンファーム判定実行処理を行うためのプログラムである。自動コンファーム判定実行処理は、ＣＰＵ２１と当該自動コンファーム判定実行プログラム２６５との協働で行われる。
【００７２】
[自動コンファーム判定実行処理等]
次に、検像装置２０による、モダリティ４０からの医用画像データＤ１の受信から、自動コンファーム判定実行処理を含む、医用画像データＤ１のＰＡＣＳ３０への送信までの処理を、図９に示す自動コンファーム判定実行処理のフローチャート図を参照して説明する。
【００７３】
通信部２４がモダリティ４０から医用画像データＤ１を受信すると、ＣＰＵ２１は、どの受信チャンネルで医用画像データＤ１を受信したかを検知し、当該医用画像データＤ１を当該受信チャンネルと受信時刻と共に、検像用データベース２６１に登録する。
【００７４】
ＣＰＵ２１は、モダリティ４０から受信した同シリーズの医用画像データＤ１群のうち最初に受信した医用画像データＤ１に対応する受信チャンネル情報を検像用データベース２６１から読み出す（ステップＳ１）。
【００７５】
次に、ＣＰＵ２１は、記憶部２６から自動コンファーム設定情報テーブル２６２を読み出し、最初に受信した医用画像データＤ１の受信チャンネルに対応する「自動コンファームモード」と「開始時刻」と「終了時刻」とを読み出す（ステップＳ２）。
【００７６】
そして、ＣＰＵ２１は、「自動コンファームモード」が「ＯＮ」の場合は、自動コンファーム処理を実行すると判定する。また、「自動コンファームモード」が「ＯＦＦ」の場合は、自動コンファーム処理を実行しないと判定する。また、「自動コンファームモード」が「時間帯指定」の場合は、ＲＡＭ２５に保持されている現在時刻２５１と「開始時刻」と「終了時刻」とを参照し、現在時刻２５１が「開始時刻」〜「終了時刻」の間ならば、自動コンファーム処理を実行すると判定する。それ以外の時間ならば、自動コンファーム処理を実行しないと判定する（ステップＳ３）。
【００７７】
自動コンファーム処理を実行すると判定した場合（ステップＳ４；Ｙｅｓ）、ＣＰＵ２１は、記憶部２６から実行時フィルタ設定情報テーブル２６３を読み出し、最初に受信した医用画像データＤ１の受信チャンネルに対応する「技師ＩＤ」と「患者ＩＤ」とを読み出す（ステップＳ５）。
【００７８】
そして、ＣＰＵ２１は、最初に受信した医用画像データＤ１の付帯情報Ｄ２のシリーズ情報Ｄ２３に含まれる「技師ＩＤ」と患者情報Ｄ２１に含まれる「患者ＩＤ」とを読み出し、実行時フィルタ設定情報テーブル２６３の「技師ＩＤ」、「患者ＩＤ」と比較する（ステップＳ６）。
【００７９】
最初に受信した医用画像データＤ１の「技師ＩＤ」と実行時フィルタ設定情報テーブル２６３の「技師ＩＤ」とが一致した場合、又は最初に受信した医用画像データＤ１の「患者ＩＤ」が実行時フィルタ設定情報テーブル２６３の「患者ＩＤ」の条件を満たした場合、自動コンファーム処理を実行しない（一部除外をする）と判定され（ステップＳ７；Ｙｅｓ）、通常コンファーム処理を行い（ステップＳ１２）、本処理を終了する。
【００８０】
また、ステップＳ６における比較判定において、条件を満たさない場合、自動コンファーム処理を実行する（一部除外しない）と判定され（ステップＳ７；Ｎｏ）、自動コンファーム処理を行い（ステップＳ１１）、本処理を終了する。
【００８１】
ステップＳ３の判定において、自動コンファーム処理を実行しないと判定した場合（ステップＳ４）、ＣＰＵ２１は記憶部２６から非実行時フィルタ設定情報テーブル２６４を読み出し、最初に受信した医用画像データＤ１の受信チャンネルに対応する「技師ＩＤ」と「患者ＩＤ」とを読み出す（ステップＳ８）。
【００８２】
そして、ＣＰＵ２１は、最初に受信した医用画像データＤ１の付帯情報Ｄ２のシリーズ情報Ｄ２３に含まれる「技師ＩＤ」と患者情報Ｄ２１に含まれる「患者ＩＤ」とを読み出し、非実行時フィルタ設定情報テーブル２６４の「技師ＩＤ」、「患者ＩＤ」と比較する（ステップＳ９）。
【００８３】
最初に受信した医用画像データＤ１の「技師ＩＤ」と非実行時フィルタ設定情報テーブル２６４の「技師ＩＤ」とが一致した場合、又は最初に受信した医用画像データＤ１の「患者ＩＤ」が非実行時フィルタ設定情報テーブル２６４の「患者ＩＤ」の条件を満たした場合、自動コンファーム処理を実行する（一部除外をする）と判定され（ステップＳ１０；Ｙｅｓ）、自動コンファーム処理を行い（ステップＳ１１）、本処理を終了する。
【００８４】
また、ステップＳ９における比較判定において、条件を満たさない場合、自動コンファーム処理を実行しない（一部除外しない）と判定され（ステップＳ１０；Ｎｏ）、通常コンファーム処理を行い（ステップＳ１２）、本処理を終了する。
【００８５】
[自動コンファーム処理]
次に、検像装置２０による自動コンファーム処理についての具体的な動作を図１０のフローチャート図を参照して説明する。
【００８６】
ＣＰＵ２１は、自動コンファーム設定情報テーブル２６２から、最初に受信した医用画像データＤ１の受信チャンネルに対応する「コンファーム時間」と「タイムアウト時間」とを読み込む（ステップＳ１０１、Ｓ１０２）。
【００８７】
ＣＰＵ２１は、モダリティ４０から最初に受信した医用画像データＤ１のシリーズＩＤと同じシリーズＩＤの医用画像データＤ１を新たに受信したか判定する（ステップＳ１０３）。新たに受信したと判定した場合（ステップＳ１０３；Ｙｅｓ）、現在時刻２５１を最終受信時刻とする（ステップＳ１０４）。そして、ＣＰＵ２１は、タイムアウト判定処理を行う（ステップＳ１０５）。また、判定の結果、新たに受信していないと判定した場合（ステップＳ１０４；Ｎｏ）、最終受信時刻は更新せず、タイムアウト判定処理を行う（ステップＳ１０５）。
【００８８】
タイムアウト判定処理（ステップＳ１０４）とは、現在時刻と最終受信時刻との差がタイムアウト時間より大きいか否かの判定を行う処理である。判定の結果、タイムアウト時間より大きい場合、同シリーズとして生成された医用画像データＤ１の受信を全て完了したと判定する（ステップＳ１０５；Ｙｅｓ）。また、判定の結果、タイムアウト時間より小さい場合、同シリーズとして生成された医用画像データＤ１の受信は未完了と判定する（ステップＳ１０５；Ｎｏ）。
【００８９】
同シリーズとして生成された医用画像データＤ１の受信が未完了であると判定した場合（ステップＳ１０５；Ｎｏ）、再び、ＣＰＵ２１は、モダリティ４０から最初に受信した医用画像データＤ１のシリーズＩＤと同じシリーズＩＤの医用画像データＤ１を新たに受信したか判定する（ステップＳ１０３）。
【００９０】
同シリーズとして生成された医用画像データＤ１の受信が完了したと判定した場合（ステップＳ１０５；Ｙｅｓ）、ＣＰＵ２１は、ユーザ操作による入力部２２からの操作信号等に基づいて、検像用データベース２６１に登録されている同シリーズの医用画像データＤ１を読み出し、表示部２３に医用画像を表示させる。
【００９１】
ＣＰＵ２１は、表示部２３に医用画像を表示させたら、医用画像時間の計測を開始し（ステップＳ１０６）、計測時間がコンファーム時間に達したか否かを判定する（ステップＳ１０７）。計測時間がコンファーム時間に達していない場合（ステップＳ１０７；Ｎｏ）は、コンファーム時間に達するまで待機し続ける。計測時間がコンファーム時間に達した場合（ステップＳ１０７；Ｙｅｓ）、自動的に当該同シリーズの医用画像データＤ１をＰＡＣＳ３０に送信し、本処理を終了する（ステップＳ１０８）。
【００９２】
尚、ここでは、時間の計測の開始のタイミングを同シリーズとして生成された医用画像データＤ１の受信が完了したと判定したときとしているが、医用画像データＤ１に対応する医用画像が表示部２３に表示されたときから、時間の計測を開始してもよい。
【００９３】
[画面例]
次に、表示部２３に表示される自動コンファーム設定情報テーブル２６２の受信チャンネル毎の「自動コンファームモード」、「開始時刻」、「終了時刻」、「コンファーム時間」を設定する画面例を図１１〜図１３に示す。
【００９４】
図１１は、自動コンファームモードを「ＯＦＦ」に設定する場合の画面例である。また、図１２は、自動コンファームモードを「時間帯指定」に設定する場合の画面例である。また、図１３は、自動コンファームモードを「ＯＮ」に設定する場合の画面例である。
【００９５】
図１１のように、自動コンファームモードのラジオボタン「常時ＯＦＦ」を選択すると、開始時刻、終了時刻を設定する入力箇所、コンファーム時間を設定する入力箇所は、無効となる。
【００９６】
また、図１２のように、自動コンファームモードのラジオボタン「時間帯指定」を選択すると、開始時刻、終了時刻を設定する入力箇所、コンファーム時間を設定する入力箇所は有効となる。
【００９７】
また、図１３のように、自動コンファームモードのラジオボタン「常時ＯＮ」を選択すると、開始時刻、終了時刻を設定する入力箇所は無効となり、コンファーム時間を設定する入力箇所は、有効となる。
【００９８】
以上、本実施の形態によれば、検像装置２０は、モダリティ４０から受信した同シリーズの医用画像データＤ１群のうち最初に受信した医用画像データＤ１の受信チャンネルや自動コンファーム設定情報テーブル２６２等に基づいて、自動コンファーム処理又は通常コンファーム処理のどちらの処理を行うかを判定し選択された処理を実行する。
【００９９】
そのため、予め受信チャンネル毎に自動コンファーム処理を実行するか否かを適切に設定することにより、具体的には、自動コンファーム設定情報テーブル２６２の値を適切に設定することにより、異種類のモダリティ４０、製造メーカの異なるモダリティ４０等を備えた医用画像システム１０においてユーザによる、自動コンファーム処理を実行するか否かの検像装置２０への設定作業の煩雑さを軽減することができる。
【０１００】
また、自動コンファーム設定情報テーブル２６２における「開始時間」、「終了時間」を設定することにより、撮影技師等のユーザは、業務時間開始前と業務時間終了後とにおいて、自動コンファーム処理を実行するか否かの検像装置２０への設定作業を行う必要が無くなる。
【０１０１】
更に、実行時フィルタ設定情報テーブル２６３、非実行時フィルタ設定情報テーブル２６４における「技師ＩＤ」を設定することにより、撮影技師等のユーザは、モダリティを操作する撮影技師が変わる毎に、自動コンファーム処理を実行するか否かの検像装置２０への設定作業を行う必要が無くなる。
【０１０２】
更に、実行時フィルタ設定情報テーブル２６３、非実行時フィルタ設定情報テーブル２６４の構成要素は、適宜ユーザによって追加、変更及び削除可能であるため、柔軟に自動コンファーム処理を実行するか否かの設定を行うことができる。
【０１０３】
尚、本実施形態において、検像装置２０は、医用画像データＤ１を受信した受信チャンネルに応じて、自動コンファーム処理を実行するか否かを判定するとしたが、受信チャンネルに代わりに、医用画像データＤ１の付帯情報Ｄ２に基づいて、自動コンファーム処理を実行するか否かを判定してもよい。
【０１０４】
例えば、付帯情報Ｄ２の中に医用画像データＤ１を生成したモダリティ４０を識別する情報も持たせて、当該情報に基づいて自動コンファーム処理を実行するか否かを判定してもよい。
【図面の簡単な説明】
【０１０５】
【図１】本発明におけるシステム構成図である。
【図２】検像装置のブロック図である。
【図３】医用画像データのデータ構成図である。
【図４】受信チャンネルのイメージ図である。
【図５】検像用データベースのデータ構成図である。
【図６】自動コンファーム設定情報テーブルのデータ構成図である。
【図７】実行時フィルタ設定情報テーブルのデータ構成図である。
【図８】非実行時フィルタ設定情報テーブルのデータ構成図である。
【図９】自動コンファーム判定実行処理のフローチャート図である。
【図１０】自動コンファーム処理のフローチャート図である。
【図１１】自動コンファームモードを「ＯＦＦ」に設定する場合の画面例である。
【図１２】自動コンファームモードを「時間帯指定」に設定する場合の画面例である。
【図１３】自動コンファームモードを「ＯＮ」に設定する場合の画面例である。
【符号の説明】
【０１０６】
１０      医用画像システム
２０      検像装置
３０      ＰＡＣＳ
４０      モダリティ
４０ａ    モダリティ（ＣＲ装置）
４０ｂ    モダリティ（ＣＴ装置）
４０ｃ    モダリティ（ＭＲ装置）
２１      ＣＰＵ
２２      入力部
２３      表示部
２４      通信部
２５      ＲＡＭ
２６      記憶部
２５１    現在時刻
２６１    検像用データベース
２６２    自動コンファーム設定情報テーブル
２６３    実行時フィルタ設定情報テーブル
２６４    非実行時フィルタ設定情報テーブル
２６５    自動コンファーム判定実行プログラム
Ｄ１      医用画像データ
Ｄ２      付帯情報
Ｄ３      実画像データ
Ｄ２１    患者情報
Ｄ２２    検査情報
Ｄ２３    シリーズ情報
Ｄ２４    画像情報
Ｎ        通信ネットワーク
Ｐ１      自動コンファーム判定実行プロセス
【図１】
2008246033.tif 000003
【図２】
2008246033.tif 000004
【図３】
2008246033.tif 000005
【図４】
2008246033.tif 000006
【図５】
2008246033.tif 000007
【図６】
2008246033.tif 000008
【図７】
2008246033.tif 000009
【図８】
2008246033.tif 000010
【図９】
2008246033.tif 000011
【図１０】
2008246033.tif 000012
【図１１】
2008246033.tif 000013
【図１２】
2008246033.tif 000014
【図１３】
2008246033.tif 000015